(57)【要約】【課題】チラシ情報の分析に際して、信頼性の高いデータ分析が可能となるように、商品情報を蓄積することができる処理システムを提供する。【解決手段】チラシ記載の商品情報から生成した第１商品情報レコードＲ１に基づき、ＪＡＮコード商品マスタＭ１に登録されている商品の標準情報を補完情報レコードＲＣとして抽出し、両者を合成した第２商品情報レコードＲ２をチラシ商品情報累積データベース３に蓄積する。商品に関する販売動向の分析処理に際しては、ＪＡＮコード等の標準情報を検索キーとして利用することで、同一商品に係るデータを漏らすことなく抽出して信頼性の高い情報を得ることができる。【選択図】　　　　図３
2004126858.tif 000002
【特許請求の範囲】
【請求項１】
ａ）チラシのデータを処理するチラシデータ処理装置と、
ｂ）チラシに掲載された商品の情報を登録する第１のデータベースと、
ｃ）商品の標準情報が蓄積された第２のデータベースと、
を備えるデータ処理システムであって、
前記チラシデータ処理装置が、
ａ−１）データを入力する入力手段と、
ａ−２）前記データに基づいて、チラシ情報レコードと、前記チラシ情報レコードと関連付けられた第１商品情報レコードとを生成する生成手段と、
ａ−３）前記第１商品情報レコードを補完する補完情報レコードを生成する補完情報生成手段と、
ａ−４）前記補完情報レコードにより前記第１商品情報レコードを補完して、第２商品情報レコードを生成する補完処理手段と、
ａ−５）前記チラシ情報レコードと前記第２商品情報レコードとを前記第１のデータベースに登録する商品情報登録手段と、
を備え、
前記補完情報レコードは、前記第１商品情報レコードの登録内容に基づいて、前記前記第２のデータベースに登録されているレコードの中から、前記第１商品情報レコードの内容に対応する標準情報を含むレコードを抽出することによって生成される、
ことを特徴とするデータ処理システム。
【請求項２】
チラシのデータを処理するチラシデータ処理装置であって、
データを入力する入力手段と、
前記データに基づいて、チラシ情報レコードと、前記チラシ情報レコードと関連付けられた第１商品情報レコードとを生成する生成手段と、
前記第１商品情報レコードを補完する補完情報レコードを生成する補完情報生成手段と、
前記補完情報レコードにより前記第１商品情報レコードを補完して、第２商品情報レコードを生成する補完処理手段と、
前記チラシ情報レコードと前記第２商品情報レコードとを第１のデータベースに登録する商品情報登録手段と、
を備え、
前記補完情報レコードは、前記第１商品情報レコードの登録内容に基づいて、前記前記第２のデータベースに登録されているレコードの中から、前記第１商品情報レコードの内容に対応する標準情報を含むレコードを抽出することによって生成される、
ことを特徴とするチラシデータ処理装置。
【請求項３】
請求項２に記載のチラシデータ処理装置であって、
前記第２のデータベースが、
ＪＡＮコードに基づいて商品情報が登録されているＪＡＮマスタデータベースと、
チラシに掲載するための商品情報が登録されているチラシ掲載データベースのうちの少なくとも１つであることを特徴とするチラシデータ処理装置。
【請求項４】
請求項２または請求項３に記載のチラシデータ処理装置であって、
前記補完情報生成手段に検索手段を備え、
前記標準情報を含むレコードの抽出は、前記検索手段によって前記第１商品情報レコードに含まれる商品名、型番、メーカー名のうち、少なくとも１つを検索条件に含む部分一致検索を、所定の検索手順に従って実行することにより行われることを特徴とするチラシデータ処理装置。
【請求項５】
請求項４に記載のチラシデータ処理装置であって、
前記検索手段により前記商品名を検索条件として検索を実行する場合には、前記商品名を少なくとも２つに分割して得られる商品名検索単位を用いて検索を実行することを特徴とするチラシデータ処理装置。
【請求項６】
チラシのデータを処理するチラシデータ処理方法であって、データを入力する入力工程と、
前記データに基づいて、チラシ情報レコードと、前記チラシ情報レコードと関連付けられた第１商品情報レコードとを生成する生成工程と、
前記第１商品情報レコードを補完する補完情報レコードを生成する補完情報生成工程と、
前記補完情報レコードにより前記第１商品情報レコードを補完して、第２商品情報レコードを生成する補完処理工程と、
前記チラシ情報レコードと前記第２商品情報レコードとを第１のデータベースに登録する商品情報登録工程と、
を備え、
前記補完情報レコードは、前記第１商品情報レコードの登録内容に基づいて、前記前記第２のデータベースに登録されているレコードの中から、前記第１商品情報レコードの内容に対応する標準情報を含むレコードを抽出することによって生成される、
ことを特徴とするチラシデータ処理方法。
【請求項７】
請求項６に記載のチラシデータ処理方法であって、
前記第２のデータベースが、
ＪＡＮコードに基づいて商品情報が登録されているＪＡＮマスタデータベースと、
チラシに掲載するための商品情報が登録されているチラシ掲載データベースのうちの少なくとも１つであることを特徴とするチラシデータ処理方法。
【請求項８】
請求項６または請求項７に記載のチラシデータ処理方法であって、
前記補完情報生成工程に検索工程を備え、
前記標準情報を含むレコードの抽出は、前記検索工程において前記第１商品情報レコードに含まれる商品名、型番、メーカー名のうち、少なくとも１つを検索条件に含む部分一致検索を実行することにより行われることを特徴とするチラシデータ処理方法。
【請求項９】
請求項８に記載のチラシデータ処理方法であって、
前記検索工程において前記商品名を検索条件として検索を実行する場合には、前記商品名を少なくとも２つに分割して得られる商品名検索単位を用いて検索を実行することを特徴とするチラシデータ処理方法。
【請求項１０】
コンピュータで実行されることにより、前記コンピュータを請求項１ないし請求項５に記載のチラシデータ処理装置として機能させることを特徴とするプログラム。
【発明の詳細な説明】
【０００１】
【発明の属する技術分野】
本発明は、チラシに掲載された商品情報を収集し、データベースに蓄積する技術に関する。
【０００２】
【従来の技術】
小売業者が商品の販売企画を行い、その企画結果に基づいて、商品の価格を決定し、さらに折り込み広告等のチラシの作成を発注する場合、商品の在庫状況やＰＯＳデータなどから得られる売れ行き情報が参照されるだけでなく、以前のチラシによる広告の効果を分析した結果も参照される。こうした広告効果を分析する技術は、広く利用に供されている（例えば、非特許文献１参照。）。
【０００３】
また、同業他社が発行するチラシに記載された価格情報等も、販売企画を決定づける重要な因子の１つであることが多い。すなわち、自社における販売状況に加え、同業他社の販売戦略をも勘案して、商品の販売価格等が決定されるのが一般的である。
【０００４】
【非特許文献１】
株式会社インテージ、”分析モデル”、［ｏｎｌｉｎｅ］、［平成１４年７月２５日検索］、インターネット＜ＵＲＬ：ｈｔｔｐ：／／ｗｗｗ．ｉｎｔａｇｅ．ｃｏ．ｊｐ／ｓｅｒｖｉｃｅ／ｍａｒｋｅｔ／ｍａｒ＿ｍｏｄｅｌ／ｍａｒ＿ｍｏｄｅｌ＿ｔｏｐ．ｈｔｍｌ＞
【０００５】
【発明が解決しようとする課題】
上述のような場合、自社（自店舗）の販売動向については、情報の取得が容易であり、ある程度詳細に分析することが可能である。しかしながら、他社（他店舗）の販売動向の把握は、担当者がバイヤーから個人的に仕入れ情報などの提供を受ける場合もあるものの、それらは例外的であり、通常は、他社が発行するチラシに依存せざるを得ない。よって、信頼ある情報を得るには、できるだけ多く、かつ広範囲にチラシを収集し、その内容をデータベースとして蓄積し、販売企画に活用することが望まれる。
【０００６】
しかし、チラシの商品情報は、一般に、発行元の業者が異なれば、同じ商品であっても商品名の記述が異なったり、一方ではメーカー名が記載されているものの他方では記載がないなど、記載項目や記載内容がチラシ間で統一されていない。従って、単にチラシに記載された表現のまま商品情報をデータベースに蓄積して、これを元に販売動向等の分析を行っても、同じ商品についての情報を正確にかつ漏らすことなく抽出することができず、その結果として信頼性の高い分析を行えない、などの問題点が生じる。
【０００７】
本発明は、上記課題に鑑みてなされたものであり、チラシ情報の分析に際して、信頼性の高いデータ分析が可能となるように、チラシに記載された商品情報を蓄積することができる処理システムを提供することを目的とする。
【０００８】
【課題を解決するための手段】
上記課題を解決するため、請求項１の発明は、ａ）チラシのデータを処理するチラシデータ処理装置と、ｂ）チラシに掲載された商品の情報を登録する第１のデータベースと、ｃ）商品の標準情報が蓄積された第２のデータベースと、を備えるデータ処理システムであって、前記チラシデータ処理装置が、ａ−１）データを入力する入力手段と、ａ−２）前記データに基づいて、チラシ情報レコードと、前記チラシ情報レコードと関連付けられた第１商品情報レコードとを生成する生成手段と、ａ−３）前記第１商品情報レコードを補完する補完情報レコードを生成する補完情報生成手段と、ａ−４）前記補完情報レコードにより前記第１商品情報レコードを補完して、第２商品情報レコードを生成する補完処理手段と、ａ−５）前記チラシ情報レコードと前記第２商品情報レコードとを前記第１のデータベースに登録する商品情報登録手段と、を備え、前記補完情報レコードは、前記第１商品情報レコードの登録内容に基づいて、前記前記第２のデータベースに登録されているレコードの中から、前記第１商品情報レコードの内容に対応する標準情報を含むレコードを抽出することによって生成される、ことを特徴とする。
【０００９】
また、請求項２の発明は、チラシのデータを処理するチラシデータ処理装置であって、データを入力する入力手段と、前記データに基づいて、チラシ情報レコードと、前記チラシ情報レコードと関連付けられた第１商品情報レコードとを生成する生成手段と、前記第１商品情報レコードを補完する補完情報レコードを生成する補完情報生成手段と、前記補完情報レコードにより前記第１商品情報レコードを補完して、第２商品情報レコードを生成する補完処理手段と、前記チラシ情報レコードと前記第２商品情報レコードとを第１のデータベースに登録する商品情報登録手段と、を備え、前記補完情報レコードは、前記第１商品情報レコードの登録内容に基づいて、前記前記第２のデータベースに登録されているレコードの中から、前記第１商品情報レコードの内容に対応する標準情報を含むレコードを抽出することによって生成される、ことを特徴とする。
【００１０】
また、請求項３の発明は、請求項２に記載のチラシデータ処理装置であって、前記第２のデータベースが、ＪＡＮコードに基づいて商品情報が登録されているＪＡＮマスタデータベースと、チラシに掲載するための商品情報が登録されているチラシ掲載データベースのうちの少なくとも１つであることを特徴とする。
【００１１】
また、請求項４の発明は、請求項２または請求項３に記載のチラシデータ処理装置であって、前記補完情報生成手段に検索手段を備え、前記標準情報を含むレコードの抽出は、前記検索手段によって前記第１商品情報レコードに含まれる商品名、型番、メーカー名のうち、少なくとも１つを検索条件に含む部分一致検索を、所定の検索手順に従って実行することにより行われることを特徴とする。
【００１２】
また、請求項５の発明は、請求項４に記載のチラシデータ処理装置であって、前記検索手段により前記商品名を検索条件として検索を実行する場合には、前記商品名を少なくとも２つに分割して得られる商品名検索単位を用いて検索を実行することを特徴とする。
【００１３】
また、請求項６の発明は、チラシのデータを処理するチラシデータ処理方法であって、データを入力する入力工程と、前記データに基づいて、チラシ情報レコードと、前記チラシ情報レコードと関連付けられた第１商品情報レコードとを生成する生成工程と、前記第１商品情報レコードを補完する補完情報レコードを生成する補完情報生成工程と、前記補完情報レコードにより前記第１商品情報レコードを補完して、第２商品情報レコードを生成する補完処理工程と、前記チラシ情報レコードと前記第２商品情報レコードとを第１のデータベースに登録する商品情報登録工程と、を備え、前記補完情報レコードは、前記第１商品情報レコードの登録内容に基づいて、前記前記第２のデータベースに登録されているレコードの中から、前記第１商品情報レコードの内容に対応する標準情報を含むレコードを抽出することによって生成される、ことを特徴とする。
【００１４】
また、請求項７の発明は、請求項６に記載のチラシデータ処理方法であって、前記第２のデータベースが、ＪＡＮコードに基づいて商品情報が登録されているＪＡＮマスタデータベースと、チラシに掲載するための商品情報が登録されているチラシ掲載データベースのうちの少なくとも１つであることを特徴とする。
【００１５】
また、請求項８の発明は、請求項６または請求項７に記載のチラシデータ処理方法であって、前記補完情報生成工程に検索工程を備え、前記標準情報を含むレコードの抽出は、前記検索工程において前記第１商品情報レコードに含まれる商品名、型番、メーカー名のうち、少なくとも１つを検索条件に含む部分一致検索を実行することにより行われることを特徴とする。
【００１６】
また、請求項９の発明は、請求項８に記載のチラシデータ処理方法であって、前記検索工程において前記商品名を検索条件として検索を実行する場合には、前記商品名を少なくとも２つに分割して得られる商品名検索単位を用いて検索を実行することを特徴とする。
【００１７】
また、請求項１０の発明は、コンピュータで実行されることにより、前記コンピュータを請求項１ないし請求項５に記載のチラシデータ処理装置として機能させることを特徴とする。
【００１８】
【発明の実施の形態】
＜システム構成＞
図１は、本発明の実施の形態に係るデータ処理システム１の構成の概略を示す図である。データ処理システム１は、収集された同業他社のチラシに記載の商品情報を所定の標準情報にて補完して、より信頼性の高いデータとして蓄積するための処理や、販売計画等に活用すべく、蓄積された商品情報を分析する処理を担うチラシデータ処理装置２と、チラシデータ処理装置２に対しそれぞれ通信線ＣＬにて接続されており、商品情報が蓄積されるチラシ商品情報累積データベース３と、商品情報の蓄積に際し参照されるＪＡＮマスタデータベース４と、チラシ掲載データベース５とを主として備える。
【００１９】
また、ＭＯ（光磁気ディスク）やＣＤ−Ｒ／ＲＷなどの種々の可搬性の記録媒体に記録されているチラシ情報等を読み取るための、例えばＭＯドライブやＣＤ−Ｒ／ＲＷドライブなどからなるメディアリーダ／ライタ６や、チラシ情報を画像データとして取り込むためのイメージスキャナ７等が、チラシデータ処理装置２に接続されていてもよい。
【００２０】
チラシデータ処理装置２は、コンピュータによって実現されるものである。すなわち、チラシデータ処理装置２には、オペレータが各種の指示を入力するためのマウスやキーボードなどからなる操作部２１、ディスプレイ等の表示部２２、ハードディスクなどにより構成され、該コンピュータをチラシデータ処理装置２として機能させるためのプログラム２３ｐなどを保存するための記憶部２３、メディアリーダ／ライタ６を通じて種々の可搬性の記録媒体との間でデータのリード／ライトを行うためのＲ／Ｗ部２４、および通信線ＣＬにより接続された他の装置や図示しないネットワーク上の装置等との間でデータの受け渡しを行うためのインターフェースとしての通信部２５、ＣＰＵ２６ａ、ＲＯＭ２６ｂ、およびＲＡＭ２６ｃから構成された制御部２６が主として備わっている。
【００２１】
図２は、チラシデータ処理装置２の制御部２６において実現される各部の機能を説明するための図である。また、図３は、制御部２６において実現される各部と、各部において生成されるレコードとの関係を説明するための図である。制御部２６においては、記憶部２３に記憶されている所定のプログラム２３ｐが実行されることにより、ＣＰＵ２６ａ、ＲＯＭ２６ｂ、およびＲＡＭ２６ｃの作用によって、入力処理部３０と、補完情報生成部４０と、補完処理部５０と、商品情報登録部６０と、商品情報分析部７０とが実現される。
【００２２】
入力処理部３０は、個々のチラシの掲載内容に基づいて、発行元などチラシの基本情報に相当するチラシ情報レコードＲＬと、該チラシに掲載されている個々の商品ごとに作成され、各々の商品名や販売価格などが登録される第１商品情報レコードＲ１とを作成する際に必要な、入力処理を担う。入力処理部３０はそのために、対話入力処理部３１とレコード生成部３２とを備える。
【００２３】
補完情報生成部４０は、第１商品情報レコードＲ１の内容に基づいて、該当する商品についての情報をさらに補完するために、ＪＡＮコード商品マスタＭ１ないしはチラシ掲載商品マスタＭ２に登録されているレコードの中から、第１商品情報レコードＲ１に対応する標準情報を検索し、該当する標準情報を補完情報レコードとして抽出する処理を担う。補完情報生成部４０は、そのために、商品マスタ選択部４１と、レコード検索部４２と、補完情報抽出部４３とを備えている。
【００２４】
補完処理部５０は、第１商品情報レコードＲ１を該当する商品についての標準情報である補完情報レコードＲＣによって補完し、第２商品情報レコードＲ２を生成させるための処理を担う。補完処理部５０はそのために、補完情報選択部５１と、商品情報合成部５２とを備える。
【００２５】
商品情報登録部６０は、上述のように生成された第２商品情報レコードＲ２と、チラシ情報レコードＲＬとをチラシ商品情報累積データベース３に登録する処理を担う。
【００２６】
商品情報分析部７０は、チラシ商品情報累積データベース３に登録された多数の第２商品情報レコードＲ２を利用して、種々の統計処理等を行い、商品の価格相場や、同業他社の販売動向などを分析するための処理を担う。
【００２７】
なお、チラシデータ処理装置２においては、操作部２１を通じた操作内容や、種々の処理についての処理状況などを表示部２２にて表示させつつ処理を行うことができる、いわゆるＧＵＩ（Ｇｒａｐｈｉｃａｌ　Ｕｓｅｒ　Ｉｎｔｅｒｆａｃｅ）が、制御部２６、操作部２１、表示部２２の機能により実現されている。制御部２６に実現される各部における処理も、このＧＵＩを用いて行われる。
【００２８】
チラシ商品情報累積データベース３は、いわゆるデータベースサーバとして機能する、大容量かつランダムアクセス可能な記憶装置により実現される、リレーショナル型のデータベースである。チラシ商品情報累積データベース３には、チラシ情報レコードＲＬと第２商品情報レコードＲ２とが蓄積される。また、蓄積されたこれらのレコードに基づいて、種々の条件にて統計処理を行ったり、データ抽出を行ったりするデータ分析機能も備える。
【００２９】
ＪＡＮマスタデータベース４と、チラシ掲載データベース５とはいずれも、第１商品情報レコードＲ１を補完するための補完情報レコードＲＣを作成する際に、補完情報の抽出元となるデータベースである。これらもやはりリレーショナル型のデータベースである。
【００３０】
ＪＡＮマスタデータベース４とは、日本国における共通商品コードとして流通業界で広く活用されているＪＡＮ（Ｊａｐａｎｅｓｅ　Ａｒｔｉｃｌｅ　Ｎｕｍｂｅｒ）コードと、その商品の属性情報とを、商品メーカーなどから収集してデータベース化したものである。例えば、ＪＩＣＦＳデータベース、すなわち、「ＪＡＮコード商品情報（ＪＡＮ　Ｉｔｅｍ　Ｃｏｄｅ　Ｆｉｌｅ　Ｓｅｒｖｉｃｅ）データベース」がその一例である。ＪＡＮマスタデータベース４に備わるＪＡＮコード商品マスタＭ１には、個々の商品を識別するためのＪＡＮコードとともに、例えば、商品名、型番、商品の容量、規格、サイズなどが、商品の属性情報として、統一された項目に従って登録されたレコードが作成・保持されている。これらの属性情報は、当該商品を製作しているメーカーから提供されるデータであるので、正式な商品名や型番を必ず含む情報であり、かつ、商品ごとに必ず異なる情報である。
【００３１】
本実施の形態においては、必ずしも正式な商品名等が登録されているとは限らない第１商品情報レコードＲ１を手がかりにＪＡＮコード商品マスタＭ１に登録されている正式な商品名等の情報（標準情報）を探し出し、探し出した標準情報を補完情報レコードＲＣとして第１商品情報レコードＲ１と合成して第２商品情報レコードを生成する。分析処理の際には、この合成によって第２商品情報レコードに含まれたＪＡＮコードや、あるいは正式な商品名、型番などを利用する。これにより、同一の商品についての情報であるにも関わらず、チラシごとに異なる商品名等が付されているために同一とはみなされず、そのために該商品についての分析を正確に行えない、等の不都合を解消することができるようになる。
【００３２】
また、チラシ掲載データベース５には、チラシを作成する際に該チラシに掲載するための商品情報を蓄積する、チラシ掲載商品マスタＭ２が備わっている。チラシ掲載商品マスタＭ２にも、分析処理の際の標準情報として利用可能なデータが登録されている。チラシの作成は、チラシ掲載商品マスタＭ２に登録されたデータに基づいて行われるが、一般には、消費者に対し詳細かつ正確な商品情報を提供するために、登録されるデータも信頼性が高いことが求められる。そのためには、商品名や型番などは、正確なデータとして与えられるので、その登録内容はＪＡＮコード商品マスタＭ１と同様に信頼度が高いデータであるといえる。あるいはチラシ掲載商品マスタＭ２においても、ＪＡＮコードによって識別される態様であってもよい。なお、商品種別や特定のメーカーの商品については、ＪＡＮコード商品マスタＭ１に未登録の場合もあるので、そうした場合にはチラシ掲載データベース５に登録されているレコードが、必然的に標準情報となることになる。あるいは、チラシ掲載商品マスタＭ２には多くの場合、チラシ掲載用の画像データが、一緒に記憶されているか、あるいは閲覧可能な状態に関連づけされているので、収集されたチラシ等に掲載されている商品写真と記憶等されている画像データとを比較することで、登録されているレコードと商品の一致・不一致等を確認することも可能である。
【００３３】
なお、ＪＡＮマスタデータベース４と、チラシ掲載データベース５とは、通信線ＣＬにて直接にチラシデータ処理装置２に接続される態様に代わり、公衆回線や専用線等、図示しないネットワークを介して接続される態様であってもよい。例えば、外部の専門業者が有する商用データベースをＪＡＮマスタデータベース４として利用する態様や、チラシの印刷業者が有するチラシ掲載データベース５にアクセスする態様などがこれに相当する。
【００３４】
＜処理の流れ＞
次に、チラシデータ処理装置２における処理の流れを、チラシデータ処理装置２の制御部２６において実現される各部の機能とともに説明する。図４は、チラシデータ処理装置２における処理の流れを説明するための図である。
【００３５】
チラシ商品情報の分析を行うには、まず、同業他社や他店舗が発行するチラシを、できるだけ多く、広範囲から、好ましくは全国から収集する必要がある（ステップＰ１）。チラシの収集は、例えば全国各地に担当者、協力者を配置し、該担当者等がチラシを収集したうえで、郵送等で現物を送付する、統一の書式の整理票に該当項目を記載したうえで該整理票を送付する、チラシないしは整理票をＦＡＸにて送信する、スキャナにてチラシの読み取りを行い画像データとした後に電子メール等で送信する、ＯＣＲソフトウェア等によりチラシからテキスト情報を直接に抽出する、などの方法により行われる。なお、以降では、現物の収集以外の方法により収集されたものも含め、「チラシ」と称する。
【００３６】
チラシが収集されると、該チラシに掲載されている情報が、チラシデータ処理装置２に対し操作部２１を通じて入力される（ステップＰ２）。チラシデータ処理装置２のオペレータが、チラシに掲載されている情報を入力する際に必要な機能は、入力処理部３０の対話入力処理部３１によって実現される。例えば、表示部２２に所定の入力処理フォーム（図示せず）を表示させるなどの態様により、オペレータが現物のチラシを見ながら所定の入力規則に従って情報を入力することを可能とすることで、これは実現される。現物以外の収集がなされた場合も、それぞれの方法に適した入力が実現される。
【００３７】
対話入力処理部３１を通じてチラシに掲載されている情報が入力されると、レコード生成部３２は、所定のフォーマットを有するチラシ情報レコードＲＬと、第１商品情報レコードＲ１とを生成する（ステップＰ３、Ｐ４）。
【００３８】
チラシ情報レコードＲＬは、個々のチラシについて、これを発行した店舗の店名や、その業種、該チラシに掲載されている商品の売り出し日など、チラシ全体に共通する情報を項目として有するレコードである。図５（ａ）は、チラシ情報レコードＲＬのデータ構造を模式的に示す図である。対話入力処理部３１を介して１枚のチラシについての情報入力を実行するたびに、レコード生成部３２によって１つのチラシ情報レコードＲＬが生成される。個々のチラシ情報レコードＲＬには、互いを識別するための登録番号ＩＤが付与されるので、該登録番号ＩＤによって一枚一枚のチラシが識別されることになる。
【００３９】
一方、第１商品情報レコードＲ１は、商品名、商品のメーカー名、型番、販売価格など、チラシに掲載されている個々の商品ごとに異なる情報を、項目として有するレコードである。図５（ｂ）は、第２商品情報レコードＲ２を示す図であるが、後述するように、第１商品情報レコードＲ１はその一部を構成するものである。チラシに掲載されている商品についての情報が、対話入力処理部３１を通じて商品ごとに順次に入力されると、レコード生成部３２により、個々の商品ごとに第１商品情報レコードＲ１が生成される。なお、第１商品情報レコードＲ１には、対応するチラシのチラシ情報レコードＲＬに付された登録番号ＩＤが、外部キーとして項目に含まれる。これにより、個々の商品情報レコードＲ１は、掲載元となったチラシのチラシ情報レコードＲＬと関連付けられることになる。
【００４０】
ただし、前述のように、チラシに記載された商品情報は、記載項目や記載内容に統一がなされていない。従って、同業他社の販売動向等の分析に、チラシに掲載されていた商品情報そのままである第１商品情報レコードＲ１を用いたとしても、同一商品について蓄積された情報を漏らすことなく取得することが困難であるために、信頼性の高い的確なデータが抽出されてこない。本発明においては、条件に合致する商品情報を正確に抽出にして的確な分析を行うことを可能とするため、第１商品情報レコードＲ１に対し、ＪＡＮコード商品マスタＭ１あるいはチラシ掲載商品マスタＭ２に登録されているＪＡＮコードや商品名、型番などの情報を標準情報として補完する。これらは、商品が一義的に定まるように定められる情報である。第１商品情報レコードＲ１に基づいて、補完すべき標準情報の候補を抽出するために、ＪＡＮコード商品マスタＭ１あるいはチラシ掲載商品マスタＭ２を対象とする検索処理を担うのが、補完情報生成部４０である（ステップＰ５）。
【００４１】
補完情報生成部４０においては、まず、商品マスタ選択部４１により、標準情報を検索するにあたって検索対象となる商品マスタが、ＪＡＮコード商品マスタＭ１あるいはチラシ掲載商品マスタＭ２のいずれかから選択される。例えば、表示部２２に、検索を行う商品マスタの順番をオペレータに選択させるためのウインドウ（図示せず）を表示させたり、それぞれの商品マスタが備わるデータベースへのアクセスに際して、所定の認証操作のためのウィンドウ（図示せず）を表示させるなどの態様により、これは実現される。あるいは、あらかじめ検索の順番や条件が定められている場合であれば、この定めに従って、それぞれの商品マスタへ自動的に順次アクセスするための処理を担う。
【００４２】
検索対象が選択されると、レコード検索部４２は、該検索対象となった商品マスタに登録されているレコードの中から、所定の検索条件に合致するレコードを検索する。レコード検索部４２は、その補完対象となる標準情報を、第１商品情報レコードＲ１の登録内容を検索キーに用いて検索する処理を担っている。なお、レコード検索部４２における検索処理の詳細については後述する。
【００４３】
レコード検索部４２における検索が終了すると、補完情報抽出部４３は、検索条件に合致したレコードを、補完情報レコードＲＣとして、検索対象となった商品マスタから抽出する（ステップＰ６）。検索の結果、複数のレコードが検索条件に合致する場合は、それらが全て抽出され、複数の補完情報レコードＲＣが生成される。
【００４４】
上述のように、複数の補完情報レコードＲＣが生成された場合には、補完情報選択部５１において、検索の元となった第１商品情報レコードＲ１と正しく対応する補完情報レコードＲＣを、オペレータが選択するための処理がなされる（ステップＰ７）。例えば、表示部２２に、複数の補完情報レコードＲＣの内容とを表示し、オペレータにいずれか１つを選択させるためのウインドウ（図示せず）を表示させるなどの態様により、これは実現される。
【００４５】
商品情報合成部５２は、補完情報選択部５１における選択を受けて、第１商品情報レコードＲ１と選択された補完情報レコードＲＣとを合成し、第２商品情報レコードＲ２を生成する（ステップＰ８）。図５（ｂ）は、こうして合成された第２商品情報レコードＲ２を示す図である。
【００４６】
なお、レコード検索部４２における検索の結果、検索条件に合致したレコードが１つしかなかった場合は、ステップＰ７の処理は省略され、そのレコードが補完情報レコードＲＣとして抽出された後、直ちに第２商品情報レコードＲ２が生成される。
【００４７】
生成された第２商品情報レコードＲ２は、商品情報登録部６０によって、ステップＰ３にて生成されたチラシ情報レコードＲＬともども、チラシ商品情報累積データベース３に登録される（ステップＰ９）。そして、チラシ商品情報累積データベース３に登録された多数の第２商品情報レコードＲ２とチラシ情報レコードＲＬとは、ＪＡＮコードをキーとして、商品相場や同業他社の販売動向などを知るための統計処理等、種々の分析処理に供されることになる（ステップＰ１０）。
【００４８】
なお、第２商品情報レコードＲ２は、元来は第１商品情報レコードＲ１に由来する登録番号ＩＤを外部キーとして含むので、掲載元のチラシの情報であるチラシ情報レコードＲＬと関連付けられたレコードである。従って、チラシ情報をも分析対象に含めた分析処理が可能である。また、第２商品情報レコードＲ２においては、補完情報レコードＲＣを含むことによって、同一の商品には必ず同一の商品名や型番が標準情報として与えられているので、分析処理時には、これらをキーとして用いることで、同一の商品についてのレコードを漏れなく分析対象とすることができる。従って、信頼性の高い分析が可能となる。
【００４９】
＜検索処理＞
以降においては、第１商品情報レコードＲ１に基づいて行われる標準情報の検索処理について、具体例とともに説明する。図６、図７、および図８は、補完情報生成部４０において行われる検索処理の流れの一例を示す図である。図９は、検索処理に供される第１商品情報レコードＲ１（Ｒ１ａ、Ｒ１ｂ、Ｒ１ｃ）を例示的に示す図である。なお、図９における”Ａ社”、”Ｂ社”、”Ｃ社”は具体的な会社名に相当し、”○○○○”、”△△△△△”は具体的な商品名に相当する。
【００５０】
検索処理は、第１商品情報レコードＲ１が生成し、商品マスタ選択部４１によって検索対象とする商品マスタが選択されたことにより開始される（ステップＳ１）。いま、図９に示す第１商品情報レコードＲ１においては、登録項目として、”コーナー名”、”メーカー名”、”商品名”、”規格”、”型番”、”売価”、”商品コピー”の７項目が設定されているものとする。なお、本来はチラシ情報レコードＲＬと関連付けるための登録番号ＩＤも項目に含まれるが、以降の説明においては不要であるのでこれを省略する。なお、第１商品情報レコードＲ１は、例えばＳＱＬなどのデータベース言語によって読み取りが可能な形式にて記述されているものとする。また、商品マスタ選択部４１によって、ＪＡＮコード商品マスタＭ１が検索対象と選択されたものとする。ただし、チラシ掲載商品マスタＭ２が検索対象となっても、基本的な処理の流れは同じであるので、その説明は省略する。
【００５１】
検索処理が開始されると（図６）、まず、レコード検索部４２によって、第１商品情報レコードＲ１が型番をデータとして含むレコードであるか否か（図９において空欄であるか否か）が判定される（ステップＳ２）。型番を含む場合は、ステップＳ３へ、型番を含まない場合はステップＳ１７（図８）へ進む。
【００５２】
ステップＳ２における判定の結果、第１商品情報レコードＲ１ａのように、型番を含むレコードである場合であれば、レコード検索部４２において、その型番（図９において”ＡＳＷ−４２Ｍ（Ｈ）”）を検索キーとして、ＪＡＮコード商品マスタＭ１に登録されている商品のレコードのなかから、当該型番を少なくとも一部に含む含むレコードが部分一致検索される（ステップＳ３）。該当するレコードの件数によって、その後の処理は分かれ（ステップＳ４）、該当するレコードが１件だけの場合はステップＳ１２へ、複数件ある場合はステップＳ５へ、１件もない場合はステップＳ２６へと移行する。
【００５３】
ステップＳ３における検索処理の結果、検索条件と一致する（以下、これを「ヒットする」という）標準情報のレコードが１件だけ存在する場合、ヒットしたレコードに記述されている標準情報が、第１商品情報レコードＲ１に対応する標準情報であると推定される。よって、ヒットしたレコードが、補完情報抽出部４３によって補完情報レコードＲＣとして抽出され、商品情報合成部５２によって直ちに第１商品情報レコードＲ１ａと合成されて、第２商品情報レコードＲ２が生成される（ステップＳ１２）。
【００５４】
ステップＳ３における検索処理の結果、ヒットするレコードが複数件あった場合は、これらを対象として、レコード検索部４２はメーカー名を検索キーに絞込検索を行う（ステップＳ５）。第１商品情報レコードＲ１ａの場合であれば、メーカー名”Ａ社”で部分一致検索することになる。同じメーカーが同じ型番でまったく異なる商品を発売することは通常はあまりなく、せいぜい、色違いなどのバリエーションの範囲内で型番の一部分が共通する程度であると考えられる。よって、メーカー名で絞込検索を行うことにより、ヒットするレコードの数を限定することができる。この結果、ヒットしたレコードが１件であれば、ステップＳ１２に移行し、上述の場合と同じく、第２商品情報レコードＲ２が生成される。
【００５５】
また、ステップＳ５における絞込検索を実行した結果、ヒットするレコードが複数件あった場合、ヒットしたレコードは補完情報抽出部４３によって補完情報レコードＲＣとして抽出され、補完情報選択部５１によって一覧表示されることになる（ステップＳ１０）。オペレータは、補完情報選択部５１によって、その一覧表示された補完情報レコードＲＣのなかから、該当するチラシに掲載されていた商品と対応すると考えられる補完情報レコードＲＣを選択するよう促される。この場合、一覧表示される補完情報レコードＲＣの件数はさほど多くならないと予想されるので、オペレータは、例えばチラシの現物を参照したり、メーカー設定価格等、ＪＡＮコード商品マスタＭ１には登録されているものの、検索には用いられないデータを参照するなどして、第１商品情報レコードＲ１と正しく対応する補完情報レコードＲＣを１つ選択する（ステップＳ１１）。該選択された補完情報レコードＲＣについて、ステップＳ１２の処理が実行されることになる。
【００５６】
なお、ステップＳ５における絞込検索を実行した結果、ヒットするレコードなかった場合、このままでは補完情報レコードＲＣの対象となるレコードが存在しなくなってしまうので、絞込検索前の検索結果を呼び出して、次後の検索処理を行うことになる（ステップＳ７）。
【００５７】
ステップＳ３において型番を検索キーに検索を行ったがヒットするレコードがなかった場合は、型番検索前の状態、つまりは検索開始時の状態に戻された後（ステップＳ２６）、ステップＳ８へと移行する。また、ステップＳ５においてメーカー名によって絞込検索をおこなったがヒットするレコードがなく、その後ステップＳ７を経た場合も、ステップＳ８に移行する。ステップＳ８においては、商品名検索単位を検索キーとして、ＡＮＤ検索が実行される。このＡＮＤ検索処理については、後述する、第１商品情報レコードＲ１が型番を有さない場合に行われる処理と同じであるので、ここでの説明は省略する。ステップＳ８におけるＡＮＤ検索の結果、該当するレコードが１件だけの場合はステップＳ１２へ、複数件ある場合はステップＳ１０へ、１件もない場合はステップＳ１３（図７）へそれぞれ移行する（ステップＳ９）。
【００５８】
ステップＳ１３に移行するのは、ＡＮＤ検索を行った結果ヒットするレコードがなかった場合である。この場合、このままでは補完情報レコードＲＣの対象となる標準情報が存在しなくなってしまう。従って、検索対象となるレコードがＡＮＤ検索前の状態に戻されることになる（ステップＳ１３）。そして、引き続き、商品名検索単位を検索キーとして、ＯＲ検索が実行される（ステップＳ１４）。このＯＲ検索処理についても、後述する、第１商品情報レコードＲ１が型番を有さない場合にて説明することとし、ここでの説明は省略する。ＯＲ検索の結果、該当するレコードが１件だけの場合はステップＳ１２へ、複数件ある場合はステップＳ１０へ、１件もない場合はステップＳ１６へそれぞれ移行する（ステップＳ１５）。
【００５９】
ステップＳ１６においては、ＯＲ検索前の状態に、つまりはＡＮＤ検索前の状態に戻した後で、ヒットしたレコードが何件あったのかが判断される。これはすなわち、ステップＳ３における型番検索の結果ヒットしたレコードの件数に基づいて、判断を行っていることになる。ただし、前述したように、ステップＳ３における検索でヒットした件数が１件の場合は、そのままステップＳ１２へと移行する（ステップＳ４）ので、ここでは、該当件数が複数件の場合か１件もない場合かのいずれかに限られる。複数件のレコードが該当する場合は、ステップＳ１０へと移行し、ヒットしたレコードが補完情報レコードＲＣとして抽出され、補完情報選択部５１によって一覧表示されることになる。ステップＳ１６において該当するレコードが１件もない場合は、検索に用いた型番に該当するレコードが全くヒットしなかった場合に相当する。この場合は、後述するステップＳ２５へと移行し処理が中止されることになる。
【００６０】
ステップＳ２において、第１商品情報レコードＲ１に型番が含まれないと判断された場合、ステップＳ１７に移行し、商品名検索単位を検索キーとしてＡＮＤ検索が実行される。ここで、商品名検索単位とは、第１商品情報レコードＲ１に含まれる商品名を、適宜に区切ることにより得られる複数の語句である。また、この商品名検索単位を検索キーとしたＡＮＤ検索とは、そのようにして得られた商品名検索単位の全てを、少なくとも一部に含むレコードをＪＡＮコード商品マスタＭ１において部分一致検索する処理である。
【００６１】
例えば、第１商品情報レコードＲ１ｂの場合であれば、型番が含まれないので、この商品名検索単位によるＡＮＤ検索の対象となる。この場合、商品名”○○○○ピュアクリーン”を、例えば、”○○○○”と”ピュアクリーン”という２つの商品名検索単位に分割して、各々を検索キーとして検索を実行することになる。例えばこれをＳＱＬにて表現すると、「ｓｅｌｅｃｔ　商品名　ｌｉｋｅ　”％○○○○％”　ＡＮＤ　商品名　ｌｉｋｅ　”％ピュアクリーン％”；」となる。
【００６２】
第１商品情報レコードＲ１に登録された商品名は、チラシに実際に掲載されていた商品名であるが、掲載スペースの制限や、消費者に対するわかりやすさを優先するなどの理由によって、必ずしも正式な商品名であるとは限らない。例えば、”○○○○ピュアクリーン”という文字列であれば、その全体が正式な商品名である場合もあれば、商品の代表名と個別名、ときには、略称などから構成されている場合もある。しかしながら、ＡＮＤ検索を実行することにより、ＪＡＮコード商品マスタＭ１に登録されている正式な商品名に、”○○○○”と”ピュアクリーン”という文字列をともに含むレコードのみが、ヒットすることになるので、より的確な絞込が可能となる。
【００６３】
なお、商品名検索単位の生成は、対話入力処理部３１を通じて商品情報を入力処理し、第１商品情報レコードＲ１を生成する際に、例えば、”○○○○”と”ピュアクリーン”とを空白文字で分離して入力することにより行ってもよいし、補完情報生成部４０が、”○○○○ピュアクリーン”という商品名を解析して、商品名検索単位を分割する機能を備える態様であってもよい。
【００６４】
また、既述したように、商品名検索単位によるＡＮＤ検索はステップＳ８においても行われるが、その処理方法は上記と同様である。
【００６５】
”○○○○”と”ピュアクリーン”という商品名検索単位にてＡＮＤ検索を行った結果、ヒットするレコードに含まれる商品名としては、例えば、以下のようなものが考えられる。
【００６６】
「○○○○　ピュアクリーン」；
「○○○○ピュアクリーン」；
「○○○○　ピュアクリーン　エッセンス」；
「チータ　○○○○　ピュアクリーン」；
「トラス　○○○○　ピュアクリーン　エアー」。
【００６７】
ＡＮＤ検索の結果、上記のようにヒットするレコードが複数件ある場合はステップＳ１０へ移行する。なお、ヒットするレコードが複数件あったとしても、商品名にはメーカー固有の名称が用いられるので、その件数は比較的少ないと考えられる。よって、上述のようにステップＳ１０へと移行しても問題はないと考えられる。また、ヒットしたレコードが１件だけの場合はステップＳ１２へ、１件もない場合はステップＳ１９へそれぞれ移行する（ステップＳ１８）。
【００６８】
ステップＳ１９においては、ＡＮＤ検索前の状態に、つまりは検索開始時点の状態に戻ることになる。そして、ステップＳ２０へと移行する。
【００６９】
ステップＳ２０においては、商品名検索単位を検索キーとしたＯＲ検索が実行される。商品名検索単位を検索キーとしたＯＲ検索とは、複数の商品名検索単位のうち、少なくとも１つを商品名の一部に含むレコードを、ＪＡＮコード商品マスタＭ１において部分一致検索する処理である。
【００７０】
第１商品情報レコードＲ１ｃを例として考えると、第１商品情報レコードＲ１ｃには型番が含まれないので、まずは商品名検索単位によるＡＮＤ検索の対象となる。この場合、第１商品情報レコードＲ１ｃに登録されている商品名”△△△△△△パンツ超通気スリムお試しＢＩＧ−３６枚”は、純然たる商品名ではなく、規格や商品コピーをも含んだ表記であるとすると、例えば、”△△△△△△”、”パンツ”、”超通気スリム”、”お試しＢＩＧ−３６枚”という商品名検索単位に分割して、ＡＮＤ検索を実行しても、ヒットしないことになる。そうした場合に、ステップＳ２０のＯＲ検索を実行することとなる。
【００７１】
すなわち、ＪＡＮコード商品マスタＭ１に登録されているレコードの中から、４つの商品検索単位”△△△△△△”、”パンツ”、”超通気スリム”、および”お試しＢＩＧ−３６枚”のうち、少なくとも１つを商品名の一部に含むレコードを検索する処理が実行されることになる。例えばこれをＳＱＬにて表現すると、「ｓｅｌｅｃｔ　商品名　ｌｉｋｅ　”％△△△△△△％”　ＯＲ　商品名　ｌｉｋｅ　”％パンツ％”　ＯＲ　商品名　ｌｉｋｅ　”％超通気スリム％”　ＯＲ　商品名　ｌｉｋｅ　”％お試しＢＩＧ−３６枚％”；」となる。
【００７２】
ＯＲ検索の結果、ヒットしたレコードが１件だけの場合はステップＳ１２へ、１件もない場合はステップＳ２２へ、複数件の場合はステップＳ２３へとそれぞれ移行する（ステップＳ２１）。
【００７３】
ただし、ＯＲ検索は、商品検索単位のうちの１つでも商品名の中に含まれれば、ヒットしたことにあるので、ヒットするレコードの件数は、十分に多くなる可能性が高い。例えば、ヒットするレコードに含まれる商品名としては、一例として次のようなものが考えられる。
【００７４】
「△△△△△△　パンツ　超通気スリム　お試しＢＩＧ−３６枚」；
「△△△△△△　パンツ　超通気スリム　お試しＭ−６０枚」；
「△△△△△△　パンツ　超通気スリム　ＢＩＧ−３６枚」；
「△△△△△△　パンツ　超通気スリム　Ｍ−６０枚」；
「△△△△△△　グローアップパンツ　Ｌ−４８枚」；
「△△△△△△　グローアップパンツ　Ｍ−６０枚」；
「△△△△△△　グローアップパンツ　Ｓ−８０枚」；
「△△△△△△　やわらか安心パンツ　Ｌ−４８枚」；
「△△△△△△　やわらか安心パンツ　Ｍ−６０枚」；
「△△△△△△　やわらか安心パンツ　Ｓ−８０枚」；
・・・；
「介護用パンツ」；
・・・；
「特選超通気スリムパンツ」；
・・・；
「ベビーパンツ　たすか〜るＩＩ」；
・・・；
「シェープアップパンツ」；
・・・；
「子供女児用パンツ」；
・・・；
「ボクサーパンツ」；
・・・等々多数。
【００７５】
このように該当件数が多数あるとすると、直ちにそれらを補完情報レコードＲＣとして抽出し、一覧表示することは、チラシデータ処理装置２に係る処理の負荷の観点からも、オペレータの作業性という観点からも好ましくないことが多い。そこで、ＯＲ検索の結果、ヒットしたレコードが複数件ある場合は、さらに、ヒットしたレコードを対象として、メーカー名を検索キーとして検索を行うことになる（ステップＳ２３）。
【００７６】
また、ＯＲ検索でヒットするレコードが１件もなかった場合には、補完情報レコードＲＣの対象となるレコードが存在しなくなってしまう。従って、ステップＳ２２においては、ＯＲ検索前の状態に、結局は検索開始時点の状態に戻ることになる。そして、ステップＳ２３へと移行する。
【００７７】
ステップＳ２１から直接ステップＳ２３に移行してメーカー名による検索を行う場合、すなわち、メーカー名により絞込検索を行う場合は、ＯＲ検索では排除されなかった、対象商品とは異なるメーカーのレコードが排除されるので、ヒットする件数は、複数件であるとしても、検索前と比べると低減すると予想される。第１商品情報レコードＲ１ｃの場合であれば、例えば、以下のような商品名のレコードのみがヒットすると考えられる。
【００７８】
「△△△△△△　パンツ　超通気スリム　お試しＢＩＧ−３６枚」；
「△△△△△△　パンツ　超通気スリム　お試しＭ−６０枚」；
「△△△△△△　パンツ　超通気スリム　ＢＩＧ−３６枚」；
「△△△△△△　パンツ　超通気スリム　Ｍ−６０枚」；
「△△△△△△　グローアップパンツ　Ｌ−４８枚」；
「△△△△△△　グローアップパンツ　Ｍ−６０枚」；
「△△△△△△　グローアップパンツ　Ｓ−８０枚」；
「△△△△△△　やわらか安心パンツ　Ｌ−４８枚」；
「△△△△△△　やわらか安心パンツ　Ｍ−６０枚」；
「△△△△△△　やわらか安心パンツ　Ｓ−８０枚」；
あるいは、ステップＳ２２を経てステップＳ２３に移行した場合は、ＯＲ検索にまったく合致しなかった場合であるので、ヒットする件数も多くはならないものと推察される。
【００７９】
メーカー名を検索キーとした検索の結果、ヒットしたレコードが１件だけの場合はステップＳ１２へ、複数件の場合はステップＳ１０へ、１件もない場合はステップＳ２５へとそれぞれ移行する（ステップＳ２４）。
【００８０】
ステップＳ２５に移行する場合は、すなわち、第１商品情報レコードＲ１に対応するレコードが、ＪＡＮコード商品マスタＭ１には存在しないとみなし、ＪＡＮコード商品マスタＭ１に対する検索処理を中止する場合である。すなわち、この場合、補完情報レコードＲＣは生成されない。このようなケースは、実際には、例えばＪＡＮコード商品マスタＭ１への登録がなされていない商品が対象となった場合を除けば、比較的限られたケースであると考えられる。
【００８１】
なお、ＪＡＮコード商品マスタＭ１における検索処理の結果、補完情報レコードＲＣが生成されなかった場合は、商品マスタ選択部４１がチラシ掲載商品マスタＭ２へのアクセスを可能とすることで、引き続きチラシ掲載商品マスタＭ２における検索処理を実行し、補完情報レコードＲＣの生成を行うことになる。
【００８２】
このような処理の流れをたどることで、必ずステップＳ１２あるいはステップＳ２５にたどり着くことになる。前者の場合は第２商品情報レコードＲ２が生成され、後者の場合は、別の商品マスタにおける処理に移行するか、あるいは処理を中止することになる。
【００８３】
＜分析処理例＞
次に、商品情報分析部７０における分析処理の例を概説する。図１０は、チラシから取得されるチラシ情報レコードＲＬと第１商品情報レコードＲ１とを例示的に示す図である。ただし、図１０に記載されているメーカー名や商品名は、実際には具体的なメーカー名や商品名に相当する。１つ１つのチラシごとに、例えば図１０（ａ）に示すようなチラシ情報レコードＲＬが１つ生成され、さらに、図１０（ｂ）に示すように、チラシに掲載されている商品ごとに第１商品情報レコードＲ１が収集されるとする。そして、前述したような処理によって、第２商品情報レコードＲ２が生成されて、チラシ商品情報累積データベース３に蓄積されていくことになる。
【００８４】
図１１は、チラシ商品情報累積データベース３に登録されているレコードに基づいて、分析処理を行った場合の例を示す図である。チラシ商品情報累積データベース３には、図１０に示したチラシ情報レコードＲＬや、第１商品情報レコードＲ１に基づき生成された第２商品情報レコードが登録されているものとする。
【００８５】
図１１（ａ）は、分析処理の際の処理条件Ｃ１を示している。ここでは、「業種」が「家電」、「売り出し日」が「２００２年７月」、発行された「地域」が「京都府」、という条件に合致するチラシの情報を処理対象とするように、なおかつ、「季節用語」や「特集用語」による限定はしないように、処理条件Ｃ１が設定されている。
【００８６】
図１１（ｂ）は、抽出されたデータを表示する際のグルーピング条件Ｃ２を示している。ここでは、「売り出し月毎」と「コーナー名」とが「有効」なグルーピング条件Ｃ２として設定されている。
【００８７】
上述のような条件設定がなされ、所定の操作によって分析処理の実行がオペレータによって指示されると、それぞれの商品についての情報が、ＪＡＮコードに基づいて検索され、所定の設定に従って集計される。図１１（ｃ）は、上記の処理条件Ｃ１とグルーピング条件Ｃ２とに基づく分析結果の例を示している。ただし、図１１（ａ）の処理条件Ｃ１で「売り出し日」が「２００２年７月」と設定されているので、実質的には「コーナー名」条件のみが有効な条件として結果が表示される。図１１（ｃ）には、「コーナー名」が「エアコン」に該当する商品についての分析結果Ａ１と、「コーナー名」が「冷蔵庫」に該当する商品についての分析結果Ａ２とを示している。それぞれの分析結果においては、商品の情報が、チラシに掲載されている回数が多い順にまとめられている。そして、それぞれの商品の売価の再頻値、最安値、最高値などが表示されている。これらは、多数のチラシから収集した、個々の商品についての情報を、例えばＪＡＮコード商品マスタＭ１に登録されている商品名に基づいて分析した結果であるから、他社の販売動向の実勢にあった、信頼性の高い情報として得られているといえる。
【００８８】
以上、説明したように、本実施の形態に係るデータ処理システム１を用いることにより、種々のチラシから収集され記載に統一のない商品の情報を、ＪＡＮマスタデータベース等に備わる商品マスタに登録されている標準情報にて補完し、商品に関する販売動向の分析処理に際しては、該補完した標準情報を利用することで、信頼性の高い情報を得ることができる。
【００８９】
【発明の効果】
以上、説明したように、請求項１ないし請求項１０の発明によれば、種々のチラシから収集され記載に統一のない商品の情報を、第２のデータベース等に蓄積されている標準情報にて補完することによって、商品に関する販売動向の分析処理に際しては、該補完した標準情報を利用することができるので、商品について信頼性の高い情報を得ることができる。
【００９０】
また、請求項３ないし請求項５、および請求項７ないし請求項９の発明によれば、第２のデータベースとして、ＪＡＮマスタデータベースあるいはチラシ掲載データベースを利用するので、信頼性の高い情報を商品の標準情報として利用することができる。
【００９１】
また、請求項４ないし請求項５、請求項８および請求項９の発明によれば、標準情報を含むレコードの候補を効率よく確実に抽出することができる。
【００９２】
また、請求項５および請求項９の発明によれば、正確には記載されていない商品名からであっても、標準情報を含むレコードの候補を効率よく確実に抽出することができる。
【図面の簡単な説明】
【図１】データ処理システム１の構成の概略を示す図である。
【図２】チラシデータ処理装置２の制御部２６において実現される各部の機能を説明するための図である。
【図３】制御部２６において実現される各部と、各部において生成されるレコードとの関係を説明するための図である。
【図４】チラシデータ処理装置２における処理の流れを説明するための図である。
【図５】チラシ情報レコードＲＬと第２商品情報レコードＲ２の構成を例示的に示す図である。
【図６】補完情報生成部４０において行われる検索処理の流れの一例を示す図である。
【図７】補完情報生成部４０において行われる検索処理の流れの一例を示す図である。
【図８】補完情報生成部４０において行われる検索処理の流れの一例を示す図である。
【図９】検索処理に供される第１商品情報レコードＲ１を例示的に示す図である。
【図１０】チラシから取得されるチラシ情報レコードＲＬと第１商品情報レコードＲ１とを例示的に示す図である。
【図１１】チラシ商品情報累積データベース３に登録されているレコードに基づいて、分析処理を行った場合の例を示す図である。
【符号の説明】
１　データ処理システム
２　チラシデータ入力装置
３　チラシ商品情報累積データベース
４　ＪＡＮマスタデータベース
５　チラシ掲載データベース
ＣＬ　通信線
Ｍ１　ＪＡＮコード商品マスタ
Ｍ２　チラシ掲載商品マスタ
Ｒ１、Ｒ１ａ、Ｒ１ｂ、Ｒ１ｃ　第１商品情報レコード
Ｒ２　第２商品情報レコード
ＲＣ　補完情報レコード
ＲＬ　チラシ情報レコード
【図１】
2004126858.tif 000003
【図２】
2004126858.tif 000004
【図３】
2004126858.tif 000005
【図４】
2004126858.tif 000006
【図５】
2004126858.tif 000007
【図６】
2004126858.tif 000008
【図７】
2004126858.tif 000009
【図８】
2004126858.tif 000010
【図９】
2004126858.tif 000011
【図１０】
2004126858.tif 000012
【図１１】
2004126858.tif 000013